(57)【要約】【課題】複数の発光部を取付面に取り付けつつ、複数の発光部のそれぞれに電力を供給できるようにし、かつ、隣り合う発光部の間にコネクタがないようにする。【解決手段】発光部２００は、発光素子、発光側第１端子２２２、及び発光側第２端子２３２を有している。発光側第１端子２２２は、発光部２００の発光面２０２とは逆側の面（裏面２０４）に位置し、発光モジュール２１０の第１電極２１２に接続している。発光側第２端子２３２も裏面２０４に位置し、発光モジュール２１０の第２電極２１４に接続している。ベース部１００は、ベース側第１端子１２２及びベース側第２端子１３２を有している。ベース側第１端子１２２は、第１の発光部２００が有する発光側第１端子２２２に接続する。ベース側第２端子１３２は、第２の発光部２００が有する発光側第２端子２３２に接続する。【選択図】図４
2015095443.tif 000002
【特許請求の範囲】
【請求項１】
少なくとも一つの発光部と、
前記少なくとも一つの発光部が取り付けられる少なくとも２つのベース部と、
を備え、
前記発光部は、
第１電極及び第２電極を有する発光素子と、
前記発光部の光取出面とは逆側の面である裏面に位置し、前記第１電極に接続している発光側第１端子と、
前記裏面に位置し、前記第２電極に接続している発光側第２端子と、
を有し、
前記発光側第１端子は第１の前記ベース部に接続されており、かつ前記発光側第２端子は第２の前記ベース部に接続されている発光装置。
【請求項２】
請求項１に記載の発光装置において、
前記ベース部は、
前記発光部の前記発光側第１端子に接続するベース側第１端子と、
前記発光部の前記発光側第２端子に接続するベース側第２端子と、
を備える発光装置。
【請求項３】
請求項２に記載の発光装置において、
前記ベース側第１端子と前記ベース側第２端子とを接続するベース側第１配線を備える発光装置。
【請求項４】
請求項３に記載の発光装置において、
前記ベース部の平面形状及び前記発光部の平面形状は、いずれも矩形であり、かつ互いに同一の形状を有しており、
前記少なくとも２つのベース部は、第１辺が互いに同一の直線上に位置するように並べて配置され、
前記ベース側第１端子は、前記ベース側第２端子よりも、前記第１辺に直交する第２辺の近くに位置しており、
前記ベース側第１端子から前記第２辺までの距離と、前記ベース側第２端子から前記第２辺に対向する第３辺までの距離との和は、前記発光側第１端子から前記発光側第２端子までの距離に等しい発光装置。
【請求項５】
請求項４に記載の発光装置において、
複数の前記ベース部は、多行多列に配置されており、
同一の前記列に属する前記ベース部の前記第１辺は、互いに同一の直線上に位置するように並べて配置され、
第１の前記列に属する前記ベース部の向きは、前記第１の列の隣の前記列である第２の前記列に属する前記ベース部の向きとは逆になっており、
さらに、前記第１の列の端部及び前記第２の列の端部の双方に並んでいる第２ベース部を備え、
前記第２ベース部は、前記ベース側第１端子、前記ベース側第２端子、及び前記ベース側第１配線を有しており、
前記第２ベース部が有する前記ベース側第１端子及び前記ベース側第２端子は、前記第２ベース部のうち前記第１の列に面する辺に沿って並んでいる発光装置。
【請求項６】
請求項２に記載の発光装置において、
前記発光部は、
２つの前記発光側第１端子と、
前記２つの発光側第１端子を互いに接続し、かつ前記第１電極に接続している発光側第１配線と、
２つの前記発光側第２端子と、
前記２つの発光側第２端子を互いに接続し、かつ前記第２電極に接続している発光側第２配線と、
を有しており、
前記ベース部は、
第１の前記発光部の前記発光側第１端子の一つに接続する第１の前記ベース側第１端子と、
第２の前記発光部の前記発光側第１端子の一つに接続する第２の前記ベース側第１端子と、
前記第１のベース側第１端子及び前記第２のベース側第１端子を接続するベース側第２配線と、
前記第１の発光部の前記発光側第２端子の一つに接続する第１の前記ベース側第２端子と、
前記第２の発光部の前記発光側第２端子の一つに接続する第２の前記ベース側第２端子と、
前記第１のベース側第２端子及び前記第２のベース側第２端子を接続するベース側第３配線と、
を備える発光装置。
【請求項７】
請求項６に記載の発光装置において、
前記ベース部の平面形状及び前記発光部の平面形状は、いずれも矩形であり、かつ互いに同一の形状を有しており、
前記複数のベース部は、第１辺が互いに同一の直線上に位置するように並べて配置され、
前記第１のベース側第１端子及び前記第１のベース側第２端子は、前記第１辺に直交する第２辺の近くに配置され、
前記第２のベース側第１端子及び前記第２のベース側第２端子は、前記第２辺に対向する第３辺の近くに配置され、
前記第１のベース側第１端子から前記第２辺までの距離と、前記第２のベース側第１端子から前記第３辺までの距離との和は、第１の前記発光側第１端子から第２の前記発光側第１端子までの距離に等しく、
前記第１のベース側第２端子から前記第２辺までの距離と、前記第２のベース側第２端子から前記第３辺までの距離との和は、第１の前記発光側第２端子から第２の前記発光側第２端子までの距離に等しい発光装置。
【請求項８】
請求項７に記載の発光装置において、
複数の前記ベース部は、多行多列に配置されており、
同一の前記列に属する前記ベース部の前記第１辺は、互いに同一の直線上に位置するように並べて配置され、
第１の前記列に属する前記ベース部の向きは、前記第１の列の隣の前記列である第２の前記列に属する前記ベース部の向きと同じになっており、
さらに、前記第１の列の端部から前記第２の列の端部の双方の横に並んでいる第２ベース部を備え、
前記第２ベース部は、前記第１のベース側第１端子、前記第２のベース側第１端子、前記第１のベース側第２端子、前記第２のベース側第２端子、前記ベース側第２配線、及び前記ベース側第３配線を有しており、
前記第２ベース部において、前記第１のベース側第１端子、第１のベース側第２端子、第２のベース側第１端子、及び前記第２のベース側第２端子は、前記ベース部に面する辺に沿ってこの順に並んでいる発光装置。
【請求項９】
請求項１〜８のいずれか一項に記載の発光装置に用いられる発光部。
【請求項１０】
請求項１〜８のいずれか一項に記載の発光装置に用いられるベース部。
【発明の詳細な説明】
【技術分野】
【０００１】
本発明は、発光装置、発光部、及びベース部に関する。
【背景技術】
【０００２】
ＬＥＤなどの発光モジュールを複数並べて使う場合がある。このような場合、隣り合う発光モジュールのそれぞれに電力を供給する必要がある。
【０００３】
例えば、特許文献１には、ＬＥＤと、このＬＥＤが取り付けるベースを有するＬＥＤ照明装置において、ベースが有する回路体を、中継端子を用いて互いに接続することにより、複数のＬＥＤを電気的に接続することが記載されている。
【０００４】
また、特許文献２には、多面体である発光ブロックの外面に、他の発光ブロックに接続するための端子を設けることが記載されている。
【０００５】
また、特許文献３には、照明モジュールと、接続エレメントとを有する照明ユニットが開示されている。接続エレメントは、隣り合う２つの照明モジュールを接続する。照明モジュールのうち接続エレメントに接続する端子は、照明モジュールの縁に設けられている。このため、隣り合う照明モジュールの間には、接続エレメントが位置する。
【先行技術文献】
【特許文献】
【０００６】
【特許文献１】特開２００５−３２４８３号公報
【特許文献２】特開２００９−１６５５９３号公報
【特許文献３】特表２０１２−５２６３４９号公報
【発明の概要】
【発明が解決しようとする課題】
【０００７】
有機ＥＬ素子やＬＥＤなどの発光素子の用途の一つに、壁や天井などの取付面に、発光素子を有する発光部を敷き詰め、取付面を装飾することがある。この場合、隣り合う発光部の間にコネクタなどの他の物がある場合、この物が取付面に露出するため、発光部による装飾の質が低下してしまう。このため、隣り合う発光部の間にコネクタがないようにすることが望ましい。
【０００８】
本発明が解決しようとする課題としては、複数の発光部を取付面に取り付けつつ、複数の発光部のそれぞれに電力を供給できるようにし、かつ、隣り合う発光部の間にコネクタがないようにすることが一例として挙げられる。
【課題を解決するための手段】
【０００９】
請求項１に記載の発明は、少なくとも一つの発光部と、
前記少なくとも一つの発光部が取り付けられる少なくとも２つのベース部と、
を備え、
前記発光部は、
第１電極及び第２電極を有する発光素子と、
前記発光部の光取出面とは逆側の面である裏面に位置し、前記第１電極に接続している発光側第１端子と、
前記裏面に位置し、前記第２電極に接続している発光側第２端子と、
を有し、
前記発光側第１端子は第１の前記ベース部に接続されており、かつ前記発光側第２端子は第２の前記ベース部に接続されている発光装置である。
【００１０】
請求項９に記載の発光部は、上記した発光装置に用いられる発光部である。
【００１１】
請求項１０に記載のベース部は、上記した発光装置に用いられるベース部である。
【図面の簡単な説明】
【００１２】
【図１】第１の実施形態に係る発光装置が有するベース部の構成を示す斜視図である。
【図２】第１の実施形態に係る発光装置が有する発光部の構成を示す斜視図である。
【図３】発光部の等価回路図である。
【図４】発光装置を壁や天井などの取付面に取り付ける方法を説明するための図である。
【図５】複数の発光部を複数のベース部に取り付けた状態における、発光装置の等価回路図である。
【図６】第２の実施形態に係る発光装置のベース部の構成を示す斜視図である。
【図７】第２の実施形態に係る発光装置の発光部の構成を示す斜視図である。
【図８】発光部の等価回路図である。
【図９】複数のベース部に複数の発光部を取り付けた状態における発光装置の等価回路図である。
【図１０】実施例１に係る第２ベース部の構成を示す斜視図である。
【図１１】取付面に対するベース部及び第２ベース部の配置例を示す図である。
【図１２】複数のベース部、複数の第２ベース部、第３ベース部、及び第４ベース部に、複数の発光部を取り付けた状態を示す平面図である。
【図１３】実施例２に係る第２ベース部の構成を示す斜視図である。
【図１４】実施例２に係るベース部、第２ベース部、第３ベース部、及び第４ベース部の配置例を示す平面図である。
【発明を実施するための形態】
【００１３】
以下、本発明の実施の形態について、図面を用いて説明する。尚、すべての図面において、同様な構成要素には同様の符号を付し、適宜説明を省略する。
【００１４】
（第１の実施形態）
図１は、第１の実施形態に係る発光装置１０が有するベース部１００の構成を示す斜視図である。図２は、第１の実施形態に係る発光装置１０が有する発光部２００の構成を示す斜視図である。本実施形態に係る発光装置１０は、複数のベース部１００及び複数の発光部２００を備えている。複数のベース部１００には、複数の発光部２００が取り付けられる。
【００１５】
図２に示すように、発光部２００は、発光モジュール２１０（図３を用いて後述）、発光側第１端子２２２、及び発光側第２端子２３２を有している。発光モジュール２１０は、発光素子及び発光素子の駆動回路を有している。発光素子は、第１電極２１２（図３を用いて後述）及び第２電極２１４（図３を用いて後述）を有している。発光側第１端子２２２は、発光部２００の発光面２０２とは逆側の面（裏面２０４）に位置し、発光モジュール２１０の第１電極２１２に接続している。発光側第２端子２３２も裏面２０４に位置し、発光モジュール２１０の第２電極２１４に接続している。そして、発光側第１端子２２２及び発光側第２端子２３２は、互いに異なるベース部１００に接続している。
【００１６】
図１に示すように、ベース部１００は、ベース側第１端子１２２及びベース側第２端子１３２を有している。ベース側第１端子１２２は、第１の発光部２００が有する発光側第１端子２２２に接続する。ベース側第２端子１３２は、第２の発光部２００が有する発光側第２端子２３２に接続する。言い換えると、一つのベース部１００には、２つの発光部２００が取り付けられる。そして一つの発光部２００は、２つのベース部１００に跨って配置される。以下、発光装置１０について、詳細に説明する。
【００１７】
まず、図１を用いて、ベース部１００について説明する。ベース部１００は平板上の部材である。ベース部１００の平面形状は、例えば矩形である。この場合、ベース部１００は、第１辺１１２、第２辺１１４、第３辺１１６、及び第４辺１１８を有している。第２辺１１４及び第３辺１１６は、第１辺１１２に直交する辺であり、第４辺１１８は第１辺１１２に対向する辺である。そして、第３辺１１６は第２辺１１４に対向している。第１辺１１２の長さ及び第４辺１１８の長さはＬ１であり、第２辺１１４の長さ及び第３辺１１６の長さはＬ２である。
【００１８】
ベース部１００のうち発光部２００が取り付けられる面には、第１コネクタ１２０及び第２コネクタ１３０が設けられている。第１コネクタ１２０及び第２コネクタ１３０は、ベース部１００の本体から突出しており、例えば略直方体である。第１コネクタ１２０の側面のうち互いに対向する２面には、それぞれ凹部１２４が設けられており、第２コネクタ１３０の側面のうち互いに対向する２面には、それぞれ凹部１３４が設けられている。凹部１２４には、発光部２００の爪部２２４（図２を用いて後述）がはめ込まれる。また、凹部１３４には、発光部２００の爪部２３４（図２を用いて後述）がはめ込まれる。第１コネクタ１２０は、第２コネクタ１３０よりも、第２辺１１４の近くに位置している。
【００１９】
また、第１コネクタ１２０の上面（発光部２００に対向する面）にはベース側第１端子１２２が設けられており、第２コネクタ１３０の上面（発光部２００に対向する面）にはベース側第２端子１３２が設けられている。本図に示す例では、ベース側第１端子１２２及びベース側第２端子１３２は一つずつ設けられている。ただし、ベース側第１端子１２２及びベース側第２端子１３２は複数設けられてもよい。この場合、発光側第１端子２２２、発光側第２端子２３２、及び発光モジュール２１０も、それぞれ複数設けられる。そして、複数のベース側第１端子１２２は互いに異なる発光モジュール２１０に接続し、また、複数のベース側第２端子１３２も互いに異なる発光モジュール２１０に接続する。ここで、互いに異なる発光モジュール２１０とは、互いに同一の色を発光する発光モジュール２１０であってもよいし、互いに異なる色を発光する発光モジュール２１０であってもよい。なお、ベース側第１端子１２２の数は、ベース側第２端子１３２の数に等しい。
【００２０】
そして、ベース部１００はベース側第１配線１４０を有している。ベース側第１配線１４０は、ベース側第１端子１２２及びベース側第２端子１３２を互いに接続している。ベース側第１端子１２２及びベース側第２端子１３２が複数設けられる場合、ベース側第１配線１４０は、ベース側第１端子１２２と同数設けられる。この場合、複数のベース側第１端子１２２は、互いに異なるベース側第１配線１４０によって、互いに異なるベース側第２端子１３２に接続される。
【００２１】
なお、本図に示す例では、平面視において、第１コネクタ１２０の中心から第２辺１１４までの距離と、第２コネクタ１３０の中心から第３辺１１６までの距離は、互いに等しい。ただし、第１コネクタ１２０の位置及び第２コネクタ１３０の位置は、本図に示す例に限定されない。
【００２２】
また、ベース側第１端子１２２及びベース側第２端子１３２は、いずれも、バネ性を有する凸状の端子となっている。
【００２３】
次に、図２を用いて、発光部２００について説明する。発光部２００の平面形状は多角形、例えば矩形であり、ベース部１００の平面形状と同一になっている。発光部２００は、第５辺２５２、第６辺２５４、第７辺２５６、及び第８辺２５８を有している。第６辺２５４及び第７辺２５６は、第５辺２５２に直交する辺であり、第８辺２５８は第５辺２５２に対向する辺である。そして、第７辺２５６は第６辺２５４に対向している。第５辺２５２の長さ及び第８辺２５８の長さはＬ１であり、第６辺２５４の長さ及び第７辺２５６の長さはＬ２である。
【００２４】
発光部２００は面光源になっており、発光面２０２とは逆側の面（裏面２０４）には、発光側第１端子２２２及び発光側第２端子２３２が設けられている。本図に示す例において、発光側第１端子２２２及び発光側第２端子２３２は、板状の端子となっている。
【００２５】
また、裏面２０４のうち発光側第１端子２２２の周囲には、爪部２２４が設けられており、発光側第２端子２３２の周囲には爪部２３４が設けられている。本図に示す例において、爪部２２４は発光側第１端子２２２を挟むように２つ設けられており、爪部２３４は発光側第２端子２３２を挟むように２つ設けられている。２つの爪部２２４の間隔は、ベース部１００の第１コネクタ１２０の幅にほぼ等しく、２つの爪部２３４の間隔はベース部１００の第２コネクタ１３０の間隔にほぼ等しい。
【００２６】
なお、本図に示す例では、平面視において、発光側第１端子２２２の中心から第６辺２５４までの距離と、発光側第２端子２３２から第７辺２５６までの距離は、互いに等しい。ただし、発光側第１端子２２２の位置及び発光側第２端子２３２の位置は、本図に示す例に限定されない。
【００２７】
図３は、発光部２００の等価回路図である。本図において、発光モジュール２１０は発光素子としてのダイオードのみが示されており、駆動回路は省略されている。上記したように、発光部２００は発光モジュール２１０を有している。発光モジュール２１０は、発光層を第１電極２１２及び第２電極２１４で挟んだ構成を有している。発光モジュール２１０は、例えば有機ＥＬ素子またはＬＥＤである。有機ＥＬ素子の場合、発光層は有機層である。そして、第１電極２１２は、発光部２００内の配線を介して発光側第１端子２２２に接続しており、第２電極２１４は、発光部２００内の配線を介して発光側第２端子２３２に接続している。
【００２８】
図４は、発光装置１０を壁や天井などの取付面に取り付ける方法を説明するための図である。まず、図４（ａ）に示すように、取付面に複数のベース部１００を固定する。このとき、隣り合うベース部１００の第１辺１１２が同一直線状に位置するようにする。また、ベース部１００の第２辺１１４が、その隣のベース部１００の第３辺１１６と接するようにする。
【００２９】
そして、図４（ａ）に示すように、２つのベース部１００をまたぐように、発光部２００を位置させる。ここで、ベース側第１端子１２２の中心から第２辺１１４までの距離Ｌ３と、ベース側第２端子１３２の中心から第３辺１１６までの距離Ｌ４の和（Ｌ３＋Ｌ４）は、発光部２００の爪部２２４から爪部２３４までの距離Ｌ５に等しい。このため、発光部２００の爪部２２４を、第１のベース部１００の第１コネクタ１２０の凹部１２４にはめ込むと、その発光部２００の爪部２３４は、その隣のベース部１００（第２のベース部１００）の第２コネクタ１３０の凹部１３４にはめ込まれる。
【００３０】
そして、図４（ｂ）に示すように、次の発光部２００（第２の発光部）を、先にベース部１００に取り付けた発光部２００の隣に取り付ける。このときの取り付け方法も、上記した通りである。このようにして、複数の発光部２００のそれぞれを、２つのベース部１００にまたぐように取り付ける。
【００３１】
なお、上記したように、発光部２００の平面形状は、ベース部１００の平面形状と等しい。また、ベース部１００の第２辺１１４は、その隣のベース部１００の第３辺１１６と接している。このため、発光部２００の第６辺２５４は、その隣の発光部２００の第７辺２５６と接する。すなわち、第５辺２５２に沿う方向において、隣り合う発光部２００の間に隙間は生じない。
【００３２】
図５は、複数の発光部２００を複数のベース部１００に取り付けた状態における、発光装置１０の等価回路図である。上記したように、第１の発光部２００（例えば図中右側の発光部２００）の発光側第１端子２２２は第１のベース部１００（例えば図中左側のベース部１００）のベース側第１端子１２２に接続し、また、第１の発光部２００の発光側第２端子２３２は、第１のベース部１００の隣に位置するベース部１００（第２のベース部１００）のベース側第２端子１３２に接続する。これが繰り返されることにより、複数の発光部２００は、複数のベース部１００を介して直列に接続される。すなわち、複数のベース部１００を用いて発光部２００を取付面に取り付けると、発光部２００はベース部１００によって互いに直列に接続される。従って、同一の端子から、複数の発光部２００に電力を供給することができる。
【００３３】
以上、本実施形態によれば、発光部２００の発光側第１端子２２２及び発光側第２端子２３２は、発光部２００の裏面に設けられている。従って、ベース部１００に発光部２００を取り付けても、複数の発光部２００の間にはコネクタが露出しない。また、第１の発光部２００の発光側第１端子２２２は第１のベース部１００のベース側第１端子１２２に接続し、また、第１の発光部２００の発光側第２端子２３２は、第１のベース部１００の隣に位置するベース部１００のベース側第２端子１３２に接続している。このため、複数のベース部１００を用いて発光部２００を取付面に取り付けると、発光部２００はベース部１００によって互いに直列に接続される。従って、複数の発光部２００に容易に電力を供給することができる。
【００３４】
また、図４に示したように、ベース側第１端子１２２の中心から第２辺１１４までの距離Ｌ３と、ベース側第２端子１３２の中心から第３辺１１６までの距離Ｌ４の和（Ｌ３＋Ｌ４）は、発光部２００の爪部２２４から爪部２３４までの距離Ｌ５（すなわち発光側第１端子２２２から発光側第２端子２３２までの距離）に等しい。また、発光部２００の平面形状は、ベース部１００の平面形状と等しい。このため、ベース部１００の第２辺１１４は、その隣のベース部１００の第３辺１１６と接するように配置すると、発光部２００の第６辺２５４は、その隣の発光部２００の第７辺２５６と接する。この場合、第５辺２５２に沿う方向において、隣り合う発光部２００の間に隙間は生じない。従って、取付面を複数の発光部２００で隙間なく覆うことができる。
【００３５】
（第２の実施形態）
図６は、第２の実施形態に係る発光装置１０のベース部１００の構成を示す斜視図であり、図７は、本実施形態に係る発光装置１０の発光部２００の構成を示す斜視図である。本実施形態に係る発光装置１０は、以下の点を除いて、第１の実施形態に係る発光装置１０と同様の構成である。
【００３６】
まず、図６に示すように、第１コネクタ１２０及び第２コネクタ１３０は、いずれもベース側第１端子１２２及びベース側第２端子１３２を有している。そして、第１コネクタ１２０のベース側第１端子１２２と第２コネクタ１３０のベース側第１端子１２２は、ベース側第２配線１４２を介して互いに接続されている。また、第１コネクタ１２０のベース側第２端子１３２と第２コネクタ１３０のベース側第２端子１３２は、ベース側第３配線１４４を介して互いに接続されている。
【００３７】
そして、図７に示すように、発光部２００の裏面２０４のうち、２つの爪部２２４の間に位置する領域には、発光側第１端子２２２及び発光側第２端子２３２が設けられており、また、２つの爪部２３４の間に位置する領域にも、発光側第１端子２２２及び発光側第２端子２３２が設けられている。そして、２つの発光側第１端子２２２は発光側第１配線２４０によって互いに接続されており、２つの発光側第２端子２３２は発光側第２配線２４２によって互いに接続されている。
【００３８】
図８は、発光部２００の等価回路図である。本図に示すように、発光モジュール２１０の第１電極２１２は発光側第１配線２４０に接続しており、発光モジュール２１０の第２電極２１４は発光側第２配線２４２に接続している。
【００３９】
図９は、複数のベース部１００に複数の発光部２００を取り付けた状態における発光装置１０の等価回路図である。本実施形態においても、発光部２００の爪部２２４を、第１のベース部１００の第１コネクタ１２０の凹部１２４にはめ込むと、その発光部２００の爪部２３４は、その隣のベース部１００（第２のベース部１００）の第２コネクタ１３０の凹部１３４にはめ込まれる。この状態において、第１のベース部１００（例えば真ん中のベース部１００）のベース側第１端子１２２の一つは、第１の発光部２００（例えば右側の発光部２００）の発光側第１端子２２２の一つに接続し、第１のベース部１００の残りのベース側第１端子１２２は、第２の発光部２００（例えば左側の発光部２００）の発光側第１端子２２２の一つに接続する。また、第１のベース部１００のベース側第２端子１３２の一つは、第１の発光部２００の発光側第２端子２３２の一つに接続し、第１のベース部１００の残りのベース側第２端子１３２は、第２の発光部２００の発光側第２端子２３２の一つに接続する。また、第１の発光部２００の残りの発光側第１端子２２２は、第２のベース部１００（例えば右側のベース部１００）のベース側第１端子１２２の一つに接続し、第１の発光部２００の残りの発光側第２端子２３２は、第２のベース部１００のベース側第２端子１３２の一つに接続する。また、第２の発光部２００の残りの発光側第１端子２２２は、第３のベース部１００（例えば左側のベース部１００）のベース側第１端子１２２の一つに接続し、第２の発光部２００の残りの発光側第２端子２３２は、第３のベース部１００のベース側第２端子１３２の一つに接続する。これが繰り返されることにより、複数のベース側第２配線１４２及び複数の発光側第１配線２４０は、一つの電源経路（例えば電源配線）を構成し、複数のベース側第３配線１４４及び複数の発光側第２配線２４２は、別の一つの電源経路（例えば接地配線）を構成する。そして、複数の発光モジュール２１０は、これら２つの電源経路を用いて、互いに並列に接続される。
【００４０】
本実施形態によっても、発光部２００の発光側第１端子２２２及び発光側第２端子２３２は、発光部２００の裏面に設けられている。従って、ベース部１００に発光部２００を取り付けても、複数の発光部２００の間にはコネクタがない。また、複数のベース部１００を用いて発光部２００を取付面に取り付けると、発光部２００はベース部１００によって互いに並列に接続される。従って、複数の発光部２００に容易に電力を供給することができる。
【００４１】
また、第１の実施形態と同様に、第１のベース側第１端子１２２の中心から第２辺１１４までの距離Ｌ３と、第２のベース側第１端子１２２の中心から第３辺１１６までの距離Ｌ４の和（Ｌ３＋Ｌ４）は、発光部２００の爪部２２４から爪部２３４までの距離Ｌ５（すなわち第１の発光側第１端子２２２から第２の発光側第１端子２２２までの距離）に等しい。同様に、第１のベース側第２端子１３２の中心から第２辺１１４までの距離Ｌ３と、第２のベース側第２端子１３２の中心から第３辺１１６までの距離Ｌ４の和（Ｌ３＋Ｌ４）は、発光部２００の爪部２２４から爪部２３４までの距離Ｌ５（すなわち第１の発光側第２端子２３２から第２の発光側第２端子２３２までの距離）に等しい。また、発光部２００の平面形状は、ベース部１００の平面形状と等しい。このため、ベース部１００の第２辺１１４が、その隣のベース部１００の第３辺１１６と接するように、複数のベース部１００を配置すると、発光部２００の第６辺２５４は、その隣の発光部２００の第７辺２５６と接する。この場合、第５辺２５２に沿う方向において、隣り合う発光部２００の間に隙間は生じない。従って、取付面を複数の発光部２００で隙間なく覆うことができる。
【実施例】
【００４２】
（実施例１）
実施例１に係る発光装置１０は、少なくとも一つの第２ベース部１０２を有している点を除いて、第１の実施形態に係る発光装置１０と同様の構成である。
【００４３】
図１０は、第２ベース部１０２の構成を示す斜視図である。第２ベース部１０２も矩形であり、４つの辺（第９辺１５２、第１０辺１５４、第１１辺１５６、及び第１２辺１５８）を有している。第１０辺１５４及び第１１辺１５６は、第９辺１５２に直交する辺であり、第１２辺１５８は第９辺１５２に対向する辺である。そして、第１１辺１５６は第１０辺１５４に対向している。第９辺１５２の長さ及び第１２辺１５８の長さはＬ６であり、第１０辺１５４の長さ及び第１１辺１５６の長さはＬ７である。長さＬ６は、例えばベース部１００の第１辺１１２の長さＬ１の０．５倍になっている。また、長さＬ７は、例えばベース部１００の第２辺１１４の長さＬ２の２倍になっている。
【００４４】
また、第２ベース部１０２には、ベース部１００と同様に、第１コネクタ１２０、第２コネクタ１３０、及びベース側第１配線１４０を有している。第１コネクタ１２０及び第２コネクタ１３０は、第１０辺１５４に沿って並んでいる。第１０辺１５４から第１コネクタ１２０の中心までの距離は、ベース部１００における距離Ｌ３（図４参照）に等しく、第１０辺１５４から第２コネクタ１３０の中心までの距離は、ベース部１００における距離Ｌ４（図４参照）に等しい。また、第１コネクタ１２０の中心から第２コネクタ１３０の中心までの距離は、ベース部１００における第１コネクタ１２０の中心から第１辺１１２までの距離と、第２コネクタ１３０の中心から第１辺１１２までの距離の和に等しい。
【００４５】
図１１は、取付面に対するベース部１００及び第２ベース部１０２の配置例を示す図である。本図に示すように、複数のベース部１００は、多行多列に配置されている。そして、同一の列に属する複数のベース部１００は、第１辺１１２が同一の直線状に位置するように並べて配置されている。また、ある列（第１の列）に属するベース部１００の向きは、その隣の列（第２の列）に属するベース部１００の向きとは逆になっている。このため、ある列に属するベース部１００の第１辺１１２は、その隣の列に属するベース部１００の第１辺１１２に接している。また、ある列に属するベース部１００の第３辺１１６は、その隣の列に属するベース部１００の第２辺１１４と、同一の直線状に位置している。
【００４６】
ベース部１００が構成する列の両端には、隣り合う列を接続するために、第２ベース部１０２が配置されている。詳細には、第２ベース部１０２の第１０辺１５４は、第１の列の一端に位置するベース部１００の第３辺１１６及び第２の列の一端に位置するベース部１００の第２辺１１４のそれぞれに接している。そして、ベース部１００の行方向において、一方の端部側に位置する第２ベース部１０２（例えば図中下側の第２ベース部１０２）と、他方の端部側に位置する第２ベース部１０２（例えば図中上側の第２ベース部１０２）とは、一列ずつずれている。
【００４７】
また、複数のベース部１００が構成する最初の列（例えば左端の列）のうち第２ベース部１０２に接していない側の端部（例えば左上端部）には第３ベース部１０４が接しており、複数のベース部１００が構成する最後の列（例えば右端の列）のうち第２ベース部１０２に接していない側の端部（例えば右下端部）には、第４ベース部１０６が接している。第３ベース部１０４は、第２コネクタ１３０及びケーブル１３６を有しており、第４ベース部１０６は、第１コネクタ１２０及びケーブル１２６を有している。ケーブル１３６は第３ベース部１０４の第２コネクタ１３０に接続しており、ケーブル１２６は第４ベース部１０６の第１コネクタ１２０に接続している。ケーブル１２６，１３６は、電源に接続されている。そして、第３ベース部１０４の第２コネクタ１３０は、第３ベース部１０４と同一の列に属するベース部１００のうち、第３ベース部１０４の隣のベース部１００の第１コネクタ１２０との間で一つの発光部２００が固定できるように配置されている。また、第４ベース部１０６の第１コネクタ１２０は、第４ベース部１０６と同一の列に属するベース部１００のうち、第４ベース部１０６の隣のベース部１００の第２コネクタ１３０との間で一つの発光部２００が固定できるように配置されている。
【００４８】
そして、上記したように、第２ベース部１０２の第１０辺１５４の長さＬ７は、ベース部１００の第２辺１１４の長さＬ２の２倍になっている。従って、平面視において、第２ベース部１０２とベース部１００の境界に隙間は生じていない。また、第３ベース部１０４の幅及び第４ベース部１０６の幅は、いずれもベース部１００の幅に等しくなっている。従って、平面視において、第３ベース部１０４とベース部１００の境界及び第４ベース部１０６とベース部１００の境界のいずれにおいても、隙間は生じていない。従って、複数のベース部１００、複数の第２ベース部１０２、第３ベース部１０４、及び第４ベース部１０６を取付面（例えば壁や天井）に配置しやすい。
【００４９】
なお、本図に示す例では、図中左下側の第２ベース部１０２と図中右上側の第２ベース部１０２は、第１０辺１５４と第１１辺１５６の位置が反転した設計となっている。ただし、Ｌ３とＬ４が等しく、さらに第１コネクタ１２０と第２コネクタ１３０に互換性があれば、これら２つの第２ベース部１０２は同じ設計とすることができる。この場合には図中左下側の第２ベース部１０２と図中右上側の第２ベース部１０２は１８０°逆向きに配置される。
【００５０】
ただし、図中左下側の第２ベース部１０２と図中右上側の第２ベース部１０２は、異なる設計であってもよい。
【００５１】
また、ベース部１００及び第２ベース部１０２の向きを間違えないようにするために、ベース部１００及び第２ベース部１０２に、向きを示す構造（例えばマークや非対称的な構造）を設けることが好ましい。
【００５２】
図１２は、図１１に示した複数のベース部１００、複数の第２ベース部１０２、第３ベース部１０４、及び第４ベース部１０６に、複数の発光部２００を取り付けた状態を示す平面図である。
【００５３】
上記したように、第３ベース部１０４の第２コネクタ１３０は、第３ベース部１０４の隣のベース部１００の第１コネクタ１２０との間で一つの発光部２００が固定できるように配置されている。このため、第３ベース部１０４とベース部１００をまたぐように、発光部２００を配置することができる。また、第４ベース部１０６の第１コネクタ１２０は、第４ベース部１０６の隣のベース部１００の第２コネクタ１３０との間で一つの発光部２００が固定できるように配置されている。このため、第４ベース部１０６とベース部１００をまたぐように、発光部２００を配置することができる。
【００５４】
また、第２ベース部１０２において第１コネクタ１２０と第２コネクタ１３０は、第１０辺１５４に沿って並んでいる。第１０辺１５４から第１コネクタ１２０の中心までの距離は、ベース部１００における距離Ｌ３に等しい。また、第１０辺１５４から第２コネクタ１３０の中心までの距離は、ベース部１００における距離Ｌ４（図４参照）に等しい。従って、第２ベース部１０２とある列の端部のベース部１００をまたぐように、発光部２００を配置することができ、かつ、第２ベース部１０２と、隣の列の端部のベース部１００をまたぐように、発光部２００を配置することができる。これによって、ベース部１００及び第２ベース部１０２を介して、多行多列に配置された複数の発光部２００を直列に接続することができる。
【００５５】
（実施例２）
図１３は、実施例２に係る第２ベース部１０２の構成を示す斜視図である。本実施形態に係る第２ベース部１０２は、以下の点を除いて、第１の実施例に係る第２ベース部１０２と同様の構成である。
【００５６】
本図に示す第２ベース部１０２は、第２の実施形態に係るベース部１００及び発光部２００とともに使用される。このため、第１コネクタ１２０及び第２コネクタ１３０の構成は、第２の実施形態のベース部１００が有する第１コネクタ１２０及び第２コネクタ１３０と同様の構成になっている。このため、２つのベース側第１端子１２２は第１０辺１５４に沿って並んでおり、また、２つのベース側第２端子１３２も第１０辺１５４に沿って並んでいる。そして第１０辺１５４に沿う方向において、第１コネクタ１２０のベース側第１端子１２２（第１のベース側第１端子）、第１コネクタ１２０のベース側第２端子１３２（第１のベース側第２端子）、第２コネクタ１３０のベース側第１端子１２２（第２のベース側第１端子）、及び第２コネクタ１３０のベース側第２端子１３２（第２のベース側第２端子）はこの順に並んでいる。
【００５７】
図１４は、本実施例に係るベース部１００、第２ベース部１０２、第３ベース部１０４、及び第４ベース部１０６の配置例を示す平面図である。本図に示すレイアウトは、ベース部１００の向きがすべての列において同じ点を除いて、第１の実施例において図１１に示したレイアウトと同様である。そして本実施例に拠れば、第２の実施形態に係る発光部２００を、複数、第１の実施例と同様に配置することができる。
【００５８】
なお、本図に示す例では、第１コネクタ１２０と第２コネクタ１３０は互換性を有している。このため同じ向きに配置されたベース部１００のすべての列と第２ベース部１０２を発光部２００で接続することができる。また、図中左下側の第２ベース部１０２と図中右上側の第２ベース部１０２は、第１０辺１５４と第１１辺１５６の位置が反転した設計となっている。ただし、Ｌ３とＬ４が等しく、さらに、第１０辺１５４から第１コネクタ１２０までの距離および第１１辺１５６から第１コネクタ１２０までの距離が等しければこれら２つの第２ベース部１０２は同じ設計とすることができ、同じ向きに配置することができる。
【００５９】
一方、距離Ｌ３と距離Ｌ４とが異なる場合、左下の第２ベース部１０２と右上の第２ベース部１０２を異なる構造にする必要がある。具体的には、下側の第２ベース部１０２では、第１０辺１５４から第１コネクタ１２０までの距離及び第１０辺１５４から第２コネクタ１３０までの距離を、いずれも距離Ｌ３と等しくすればよい。一方、上側の第２ベース部１０２では、第１０辺１５４から第１コネクタ１２０までの距離及び第１０辺１５４から第２コネクタ１３０までの距離を、いずれも距離Ｌ４と等しくすればよい。
【００６０】
本実施例によれば、ベース部１００及び第２ベース部１０２を介して、多行多列に配置された複数の発光部２００を並列に接続することができる。
【００６１】
以上、図面を参照して実施形態及び実施例について述べたが、これらは本発明の例示であり、上記以外の様々な構成を採用することもできる。
【符号の説明】
【００６２】
１０ 発光装置
１００ ベース部
１０２ 第２ベース部
１１２ 第１辺
１２２ ベース側第１端子
１３２ ベース側第２端子
１４０ ベース側第１配線
１４２ ベース側第２配線
１４４ ベース側第３配線
２００ 発光部
２０４ 裏面
２１０ 発光素子
２１２ 第１電極
２１４ 第２電極
２２２ 発光側第１端子
２３２ 発光側第２端子
２４０ 発光側第１配線
２４２ 発光側第２配線
【図１】
2015095443.tif 000003
【図２】
2015095443.tif 000004
【図３】
2015095443.tif 000005
【図４】
2015095443.tif 000006
【図５】
2015095443.tif 000007
【図６】
2015095443.tif 000008
【図７】
2015095443.tif 000009
【図８】
2015095443.tif 000010
【図９】
2015095443.tif 000011
【図１０】
2015095443.tif 000012
【図１１】
2015095443.tif 000013
【図１２】
2015095443.tif 000014
【図１３】
2015095443.tif 000015
【図１４】
2015095443.tif 000016